(57)【要約】【課題】  通信経路上に障害が生じても子局と親局とが通信可能な装置を提供する。【解決手段】  切替部１０１〜１０４の各々は、ノードＮ１０１Ｓ，Ｎ１０１Ｌ〜Ｎ１０４Ｓ，Ｎ１０４Ｌの各々における信号レベルを評価し、親局１０にその評価結果を送信する。次に、親局１０に含まれる制御部１１０は、切替部１０１〜１０４の各々から受信した評価結果に基づき、通信経路の状態を解析する。次に、表示部１２０は、制御部１１０による解析結果を表示する。次に、制御部１１０は、切替器１０１Ｒ〜１０４Ｒの開閉状態を指示する通信経路情報を入力すると、その通信経路情報に応じて切替部１０１〜１０４の各々に対して切替器１０１Ｒ〜１０４Ｒの開閉を指示する制御信号を送信する。【選択図】  図１
2006135731.tif 000002
【特許請求の範囲】
【請求項１】
親局と第１および第２の子局とが信号のやりとりを行う通信経路を制御するシステムであって、
前記親局と前記第１および第２の子局の各々とは、
ループ状に配線された通信経路に接続されており、
前記システムは、さらに、
前記第１の子局と前記第２の子局とを結ぶ通信経路のうち前記親局を経由しない方の通信経路（子局間通信経路）を接続／遮断する切替部を備え、
前記親局と前記切替部とは、前記通信経路を介して信号のやりとりを行い、
前記親局は、
前記切替部による通信経路の接続／遮断を指示する制御信号を送信し、
前記切替部は、
前記親局からの制御信号に応じて、前記子局間通信経路を接続／遮断する、
ことを特徴とする通信経路制御システム。
【請求項２】
請求項１において、
前記システムは、さらに、
前記親局と前記切替部とを結ぶ通信経路のうち前記第１の子局を経由する方の通信経路（第１の通信経路）に存在する第１のノードにおける信号レベルを測定する第１の信号レベル測定部と、
前記親局と前記切替部とを結ぶ通信経路のうち前記第２の子局を経由する方の通信経路（第２の通信経路）に存在する第２のノードにおける信号レベルを測定する第２の信号レベル測定部とを備え、
前記親局と前記第１および第２の信号レベル測定部の各々とは、前記通信経路を介して信号のやりとりを行い、
前記第１の信号レベル測定部は、
測定した前記第１のノードにおける信号レベルを前記親局に送信し、
前記第２の信号レベル測定部は、
測定した前記第２のノードにおける信号レベルを前記親局に送信し、
前記親局は、
前記第１の信号レベル測定部によって測定された第１のノードにおける信号レベルの状態および第２の信号レベル測定部によって測定された第２のノードにおける信号レベルの状態に応じて、前記制御信号を送信する、
ことを特徴とする通信経路制御システム。
【請求項３】
請求項２において、
前記親局は、
前記第１の信号レベル測定部によって測定された第１のノードにおける信号レベルおよび第２の信号レベル測定部によって測定された第２のノードにおける信号レベルのうちいずれか一方が前記所定のレベルよりも低くなると、前記子局間通信経路の接続を指示する前記制御信号を送信する、
ことを特徴とする通信経路制御システム。
【請求項４】
請求項２において、
前記第１の信号レベル測定部は、
前記第１の子局から信号が送信されたときおよび前記第１の子局に対して信号が送信されたときに、前記第１のノードにおける信号レベルを測定し、
前記第２の信号レベル測定部は、
前記第２の子局から信号が送信されたときおよび前記第２の子局に対して信号が送信されたときに、前記第２のノードにおける信号レベルを測定する、
ことを特徴とする通信経路制御システム。
【請求項５】
請求項２において、
前記親局には、
前記第１および第２の子局と信号のやりとりを行う制御部と、
表示部とが設けられており、
前記制御部は、
前記通信経路を介して、前記切替部と前記第１および第２の信号レベル測定部の各々と信号のやりとりを行い、
前記第１の信号レベル測定部によって測定された第１のノードにおける信号レベルの状態および前記第２の信号レベル測定部によって測定された第２のノードにおける信号レベルの状態に基づいて前記通信経路の状態を解析し、
前記表示部は、
前記制御部による通信経路の解析の結果を表示し、
前記制御部は、さらに、
前記子局間通信経路の接続状態を指示する通信経路情報に応じて、前記制御信号を送信する、
ことを特徴とする通信経路制御システム。
【請求項６】
親局と子局とが信号のやりとりを行う通信経路を制御するシステムであって、
前記親局および前記子局は、
ループ状に配線された通信経路に接続されており、
前記システムは、さらに、
前記親局と前記子局とを結ぶ通信経路のうちいずれか一方の通信経路（第１の通信経路）を接続／遮断する第１の切替部と、
前記親局と前記子局とを結ぶ通信経路のうち前記第１の経路とは別の通信経路（第２の通信経路）を接続／遮断する第２の切替部とを備え、
前記親局と前記第１および第２の切替部とは、前記通信経路を介して信号のやりとりを行い、
前記親局は、
前記第１および第２の切替部による通信経路の接続／遮断を指示する制御信号を送信し、
前記第１の切替部は、
前記親局からの制御信号に応じて、前記第１の通信経路を接続／遮断し、
前記第２の切替部は、
前記親局からの制御信号に応じて、前記第２の通信経路を接続／遮断する、
ことを特徴とする通信経路制御システム。
【請求項７】
請求項６において、
前記システムは、さらに、
前記第１の通信経路上に存在する第１のノードにおける信号レベルを測定する第１の信号レベル測定部と、
前記第２の通信経路上に存在する第２のノードにおける信号レベルを測定する第２の信号レベル測定部とを備え、
前記親局と前記第１および第２の信号レベル測定部の各々とは、前記通信経路を介して信号のやりとりを行い、
前記第１の信号レベル測定部は、
測定した前記第１のノードにおける信号レベルの値を前記親局に送信し、
前記第２の信号レベル測定部は、
測定した前記第２のノードにおける信号レベルの値を前記親局に送信し、
前記親局は、
前記第１の信号レベル測定部によって測定された第１のノードにおける信号レベルの状態および第２の信号レベル測定部によって測定された第２のノードにおける信号レベルの状態に応じて、前記制御信号を送信する、
ことを特徴とする通信経路制御システム。
【請求項８】
請求項７において、
前記第１の切替部は、
前記第１のノードにおける信号レベルが前記第２のノードにおける信号レベル以上である場合、前記第１の通信経路を遮断しており、
前記親局は、
前記第１の信号レベル測定部によって測定された第１のノードにおける信号レベルが前記第２の信号レベル測定部によって測定された第２のノードにおける信号レベルよりも低くなると、前記第１の通信経路が遮断状態になり前記第２の通信経路が接続状態になるような前記制御信号を送信する、
ことを特徴とする通信経路制御システム。
【請求項９】
請求項７において、
前記親局には、
外部から入力された情報に応じて、前記子局と信号のやりとりを行う制御部と、
表示部とが設けられており、
前記制御部は、
前記通信経路を介して、前記第１および第２の切替部の各々と前記第１および第２の信号レベル測定部の各々と信号のやりとりを行い、
前記第１の信号レベル測定部によって測定された第１のノードにおける信号レベルの状態および前記第２の信号レベル測定部によって測定された第２のノードにおける信号レベルの状態に基づいて前記通信経路の状態を解析し、
前記表示部は、
前記制御部による通信経路の解析の結果を表示し、
前記制御部は、さらに、
前記子局間通信経路の接続状態を指示する通信経路情報に応じて、前記制御信号を送信する、
ことを特徴とする通信経路制御システム。
【請求項１０】
請求項２において、
前記親局は、
前記第１および第２の子局のうち少なくとも一方からの返信がないと、通知要請信号を送信し、
前記第１の信号レベル測定部は、
前記通知要請信号を受信すると、測定した前記第１のノードにおける信号レベルを前記親局に送信し、
前記第２の信号レベル測定部は、
前記通知要請信号を受信すると、測定した前記第２のノードにおける信号レベルを前記親局に送信する、
ことを特徴とする通信経路制御システム。
【請求項１１】
請求項７において、
前記親局は、
前記子局からの返信がないと、通知要請信号を送信し、
前記第１の信号レベル測定部は、
前記通知要請信号を受信すると、測定した前記第１のノードにおける信号レベルを前記親局に送信し、
前記第２の信号レベル測定部は、
前記通知要請信号を受信すると、測定した前記第２のノードにおける信号レベルを前記親局に送信する、
ことを特徴とする通信経路制御システム。
【発明の詳細な説明】
【技術分野】
【０００１】
この発明は、信号のやりとりが行われる通信経路を切り替えるシステムに関する。
【背景技術】
【０００２】
従来の配電線遠方監視制御システム（配電線遠制システム）における通信経路を図２７に示す。この配電線遠制システムでは、親局１０と子局１とが通信経路Ａを介して信号のやりとりを行い、親局１０と子局２，３とが通信経路Ｂを介して通信信号のやりとりを行っている。子局１〜３は、親局１０からの通信信号に応じて、配電線上に設けられた開閉器（図示せず）を開閉する。
【０００３】
近年、電気需要の上昇に伴って配電線の長さが長くなり、子局の個数が増加し、それに伴って通信経路の本数も増加している。
【特許文献１】特開２００３１８１７１号公報
【特許文献２】特開２００４−１５４８９号公報
【発明の開示】
【発明が解決しようとする課題】
【０００４】
しかし、従来の配電線遠制システムでは、通信経路に障害が生じると、親局１０からみて障害発生地点よりも向こうの子局との通信が行うことができない。例えば、通信経路Ｂにおいて、子局２と子局３との間に通信障害が生じると、親局１０と子局２との間では通信信号のやりとりを行うことができるが、親局１０と子局３との間では通信信号のやりとりを行うことができない。
【０００５】
この発明の目的は、通信経路に通信障害が生じても親局と子局とが通信を行うことができるシステムを提供することである。
【課題を解決するための手段】
【０００６】
この発明による通信経路制御システムは、親局と第１および第２の子局とが信号のやりとりを行う通信経路を制御する。上記親局と上記第１および第２の子局の各々とは、ループ状に配線された通信経路に接続されている。上記システムは、さらに、切替部を備える。切替部は、上記第１の子局と上記第２の子局とを結ぶ通信経路のうち上記親局を経由しない方の通信経路（子局間通信経路）を接続／遮断する。上記親局と上記切替部とは、上記通信経路を介して信号のやりとりを行う。上記親局は、上記切替部による通信経路の接続／遮断を指示する制御信号を送信する。上記切替部は、上記親局からの制御信号に応じて、上記子局間通信経路を接続／遮断する。
【０００７】
上記通信経路制御システムでは、例えば、通信経路に通信障害が生じていない場合、切替部は、子局間通信経路を遮断している。ここで、親局と第１の子局との間に通信障害が生じ親局と第１の子局との間で信号のやりとりが行うことができなくなると、親局は、切替部に対して「子局間通信経路の接続」を指示する制御信号を送信する。よって、切替部は、子局間通信経路を接続する。したがって、親局からの信号は、親局−第２の子局−切替部−第１の子局と経由して第１の子局に送信される。このように、通信経路に通信障害が生じても、適切な通信経路に変更することによって、親局と子局との間で信号のやりとりを行うことができる。
【０００８】
好ましくは、上記システムは、さらに、第１の信号レベル測定部と第２の信号レベル測定部とを備える。第１の信号レベル測定部は、上記親局と上記切替部とを結ぶ通信経路のうち上記第１の子局を経由する方の通信経路（第１の通信経路）に存在する第１のノードにおける信号レベルを測定する。第２の信号レベル測定部は、上記親局と上記切替部とを結ぶ通信経路のうち上記第２の子局を経由する方の通信経路（第２の通信経路）に存在する第２のノードにおける信号レベルを測定する。上記親局と上記第１および第２の信号レベル測定部の各々とは、上記通信経路を介して信号のやりとりを行う。上記第１の信号レベル測定部は、測定した上記第１のノードにおける信号レベルを上記親局に送信する。上記第２の信号レベル測定部は、測定した上記第２のノードにおける信号レベルを上記親局に送信する。上記親局は、上記第１の信号レベル測定部によって測定された第１のノードにおける信号レベルの状態および第２の信号レベル測定部によって測定された第２のノードにおける信号レベルの状態に応じて、上記制御信号を送信する。
【０００９】
上記通信経路制御システムでは、親局は、第１の信号レベル測定部によって送信された
第１のノードにおける信号レベルの状態と第２の信号レベル測定部によって送信された第２のノードにおける信号レベルの状態を観察すれば、親局−第１の子局間および親局−第２の子局間における通信経路の状態を把握することができる。これにより、通信経路を変更すべきか否かを容易に判断することができる。
【００１０】
好ましくは、上記親局は、上記第１の信号レベル測定部によって測定された第１のノードにおける信号レベルおよび第２の信号レベル測定部によって測定された第２のノードにおける信号レベルのうちいずれか一方が上記所定のレベル（例えば、通信経路に通信障害が生じていないときに測定された信号レベル）よりも低くなると、上記子局間通信経路の接続を指示する上記制御信号を送信する。
【００１１】
上記通信経路制御システムでは、親局−第１の子局間および親局−第２の子局間のうちいずれか一方で信号のやりとりが正常に行うことができなくなったと判断すると、親局は、切替部に対して「子局間通信経路の接続」を指示する制御信号を送信する。これにより、通信経路に通信障害が生じても、適切な通信経路に変更することによって、親局と子局との間で信号のやりとりを行うことができる。
【００１２】
好ましくは、上記第１の信号レベル測定部は、上記第１の子局から信号が送信されたときおよび上記第１の子局に対して信号が送信されたときに、上記第１のノードにおける信号レベルを測定する。上記第２の信号レベル測定部は、上記第２の子局から信号が送信されたときおよび上記第２の子局に対して信号が送信されたときに、上記第２のノードにおける信号レベルを測定する。
【００１３】
上記通信経路制御システムでは、第１の信号レベル測定部は親局−第１の子局間で信号のやりとりが行われているときの信号レベルを測定し、第２の信号レベル測定部は親局−第２の子局間で信号のやりとりが行われているときの信号レベルを測定する。これにより、例えば、親局から第１および第２の子局に対して十分な信号レベルを有する信号が送信されているか否かを判断することができる。
【００１４】
好ましくは、上記親局には、制御部と、表示部とが設けられている。制御部は、上記第１および第２の子局と信号のやりとりを行う。また、上記制御部は、上記通信経路を介して、上記切替部と上記第１および第２の信号レベル測定部の各々と信号のやりとりを行う。また、制御部は、上記第１の信号レベル測定部によって測定された第１のノードにおける信号レベルの状態および上記第２の信号レベル測定部によって測定された第２のノードにおける信号レベルの状態に基づいて上記通信経路の状態を解析する。上記表示部は、上記制御部による通信経路の解析の結果を表示する。上記制御部は、さらに、上記子局間通信経路の接続状態を指示する通信経路情報に応じて、上記制御信号を送信する。
【００１５】
上記通信経路制御システムでは、通信経路を管理する管理者等は、表示部に表示された通信経路の解析結果を参照すれば、通信経路の状態を把握することができる。また、子局間通信経路を接続している方がいいのかもしくは子局間通信経路を遮断している方がいいのかを容易に判断することができる。つまり、接続，遮断のうちどちらの接続状態を指示する通信経路情報を入力すればいいのか容易に判断することができる。
【００１６】
この発明によるもう１つの通信経路制御システムは、親局と子局とが信号のやりとりを行う通信経路を制御するシステムである。上記親局および上記子局は、ループ状に配線された通信経路に接続されている。上記システムは、さらに、第１の切替部と、第２の切替部とを備える。第１の切替部は、上記親局と上記子局とを結ぶ通信経路のうちいずれか一方の通信経路（第１の通信経路）を接続／遮断する。第２の切替部は、上記親局と上記子局とを結ぶ通信経路のうち上記第１の経路とは別の通信経路（第２の通信経路）を接続／遮断する。上記親局と上記第１および第２の切替部とは、上記通信経路を介して信号のやりとりを行う。上記親局は、上記第１および第２の切替部による通信経路の接続／遮断を指示する制御信号を送信する。上記第１の切替部は、上記親局からの制御信号に応じて、上記第１の通信経路を接続／遮断する。上記第２の切替部は、上記親局からの制御信号に応じて、上記第２の通信経路を接続／遮断する。
【００１７】
上記通信経路制御システムでは、例えば、通信経路に通信障害が生じていない場合、第１の切替部は第１の通信経路を遮断しており第２の切替部は第２の通信経路を接続している。つまり、親局と子局とは第１の通信経路（親局ー第１の切替部ー子局）を介して信号のやりとりを行う。ここで、親局と子局との間に通信障害が生じ親局と子局との間で信号のやりとりが行うことができなくなると、親局は、第１の切替部に対して「第１の通信経路の接続」を指示する制御信号を送信するとともに第２の切替部に対して「第２の通信経路の遮断」を指示する制御信号を送信する。よって、親局からの信号は、第２の通信経路（親局−第２の切替部−子局）を経由して子局に送信される。このように、通信経路に通信障害が生じても、適切な通信経路に変更することによって、親局と子局との間で信号のやりとりを行うことができる。
【００１８】
好ましくは、上記システムは、さらに、第１の信号レベル測定部と、第２の信号レベル測定部とを備える。第１の信号レベル測定部は、上記第１の通信経路上に存在する第１のノードにおける信号レベルを測定する。第２の信号レベル測定部は、上記第２の通信経路上に存在する第２のノードにおける信号レベルを測定する。上記親局と上記第１および第２の信号レベル測定部の各々とは、上記通信経路を介して信号のやりとりを行う。上記第１の信号レベル測定部は、測定した上記第１のノードにおける信号レベルの値を上記親局に送信する。上記第２の信号レベル測定部は、測定した上記第２のノードにおける信号レベルの値を上記親局に送信する。上記親局は、上記第１の信号レベル測定部によって測定された第１のノードにおける信号レベルの状態および第２の信号レベル測定部によって測定された第２のノードにおける信号レベルの状態に応じて、上記制御信号を送信する。
【００１９】
上記通信経路制御システムでは、親局は、第１の信号レベル測定部によって送信された
第１のノードにおける信号レベルの状態と第２の信号レベル測定部によって送信された第２のノードにおける信号レベルの状態を観察すれば、第１および第２の通信経路の状態を把握することができる。これにより、通信経路を変更すべきか否かを容易に判断することができる。
【００２０】
好ましくは、上記親局は、上記第１の信号レベル測定部によって測定された第１のノードにおける信号レベルが上記第２の信号レベル測定部によって測定された第２のノードにおける信号レベルよりも低くなると、上記第１の通信経路が遮断状態になり上記第２の通信経路が接続状態になるような上記制御信号を送信する。
【００２１】
好ましくは、上記親局には、制御部と、表示部とが設けられている。制御部は、外部から入力された情報に応じて、上記子局と信号のやりとりを行う。また、上記制御部は、上記通信経路を介して、上記第１および第２の切替部の各々と上記第１および第２の信号レベル測定部の各々と信号のやりとりを行う。また、制御部は、上記第１の信号レベル測定部によって測定された第１のノードにおける信号レベルの状態および上記第２の信号レベル測定部によって測定された第２のノードにおける信号レベルの状態に基づいて上記通信経路の状態を解析する。上記表示部は、上記制御部による通信経路の解析の結果を表示する。上記制御部は、さらに、上記子局間通信経路の接続状態を指示する通信経路情報に応じて、上記制御信号を送信する。
【００２２】
上記通信経路制御システムでは、通信経路を管理する管理者等は、表示部に表示された通信経路の解析結果を参照すれば、第１および第２の通信経路の状態を把握することができる。また、第１の通信経路を接続している方がいいのかもしくは第２の通信経路を接続している方がいいのかを容易に判断することができる。つまり、第１および第２の切替部の各々に対して、通信経路の接続／遮断のうちどちらの接続状態を指示する通信経路情報を入力すればいいのか容易に判断することができる。
【００２３】
好ましくは、上記親局は、上記第１および第２の子局のうち少なくとも一方からの返信がないと、通知要請信号を送信する。上記第１の信号レベル測定部は、上記通知要請信号を受信すると、測定した上記第１のノードにおける信号レベルを上記親局に送信する。上記第２の信号レベル測定部は、上記通知要請信号を受信すると、測定した上記第２のノードにおける信号レベルを上記親局に送信する。
【００２４】
上記通信経路制御システムでは、通信経路上に通信障害が生じると、迅速に対応することができる。
【００２５】
好ましくは、上記親局は、上記子局からの返信がないと、通知要請信号を送信する。上記第１の信号レベル測定部は、上記通知要請信号を受信すると、測定した上記第１のノードにおける信号レベルを上記親局に送信する。上記第２の信号レベル測定部は、上記通知要請信号を受信すると、測定した上記第２のノードにおける信号レベルを上記親局に送信する。
【発明の効果】
【００２６】
以上のように、本発明の通信経路切替装置によれば、通信経路上に通信障害が生じても、適切な通信経路に変更することによって、親局と子局との間で通信信号のやりとりを行うことができる。
【発明を実施するための最良の形態】
【００２７】
以下、この発明の実施の形態を図面を参照して詳しく説明する。なお、図中同一または相当部分には同一の符号を付しその説明は繰り返さない。
【００２８】
＜全体構成＞
この発明の実施形態による通信経路制御システムの全体構成を図１に示す。このシステムは、ループ状に形成された通信経路上に親局１０と子局１，２，３と切替部１０１〜１０４と切替器１０１Ｒ〜１０４Ｒとを備える。
【００２９】
親局１０と子局１〜３および切替部１０１〜１０４との間では、例えば、データリンク確立，制御信号の送信，制御信号に対する応答信号の送信，データリンクの解放，の順に処理が行われる（通信制御方式は、例えば、コンテンション／ポーリング双方対応方式である）。また、子局１〜３および切替部１０１〜１０４の各々は、親局１０からの通信信号を受信してから所定の通信信号を返信するまでの時間が、あらかじめ定められている。
【００３０】
親局１０は、子局１〜３の各々と種々の通信信号を送受信することによって、子局１〜３に対して開閉器（図示せず）の開閉を指示する。また、親局１０は、切替部１０１〜１０４の各々と種々の通信信号を送受信することによって、通信経路の状態を解析したり、切替器１０１Ｒ〜１０４Ｒの開閉を指示したりする。
【００３１】
子局１，２，３の各々は、親局１０と種々の通信信号を送受信することによって、配電経路上に設けられた開閉器を開閉する。これにより、変電所からの電力が各家庭へ供給される経路（配電経路）が変更される。
【００３２】
切替部１０１〜１０４の各々は、子局１〜３と親局１０との通信を傍受し、通信経路上のノードＮ１０１Ｓ〜Ｎ１０４Ｓ，Ｎ１０１Ｌ〜Ｎ１０４Ｌにおける信号レベルを評価する。また、切替部１０１〜１０４の各々は、親局１０からの種々の通信信号を送受信することによって、ノードＮ１０１Ｓ〜Ｎ１０４Ｓ，Ｎ１０１Ｌ〜Ｎ１０４Ｌの信号レベルに対する評価を親局に送信する。さらに、切替部１０１〜１０４の各々は、親局１０と種々の通信信号を送受信することによって、通信経路上に設けられた切替器１０１Ｒ〜１０４Ｒを開閉する。これにより、子局１〜３の各々と親局１０との通信経路が変更される。
【００３３】
なお、親局１０，子局１〜３，および切替部１０１〜１０４の各々には、識別コードが与えられている。
【００３４】
また、図１では、切替器１０１Ｒ，１０２Ｒ，１０３Ｒが閉じており、切替器１０４Ｒが開いている。ここで、親局１０−ノードＮ１０１Ｓ，Ｎ１０１Ｌ−子局１−ノードＮ１０４Ｓ−切替器１０４Ｒと経由する経路を通信経路Ａとし、親局１０−ノードＮ１０２Ｓ，Ｎ１０２Ｌ−子局２−ノードＮ１０３Ｓ，Ｎ１０３Ｌ−子局３−ノードＮ１０４Ｌ−切替器１０４Ｒと経由する経路を通信経路Ｂとする。
【００３５】
＜ループ状の通信経路＞
現在、同一の親局を始点とする通信経路が複数設けられている。これら複数の通信経路の中には、通信経路同士が接近しているものが存在する。このように、同一の親局を始点とした通信経路同士が接近している場合、これらの通信経路を新たな通信経路によって接続すれば、図１に示したようなループ状の通信経路を容易にかつ低コストで形成することができる。例えば、図２７に示した通信経路ＡのノードＮＡ近辺と通信経路ＢのノードＮＢ近辺とが隣接しているので、ノードＮＡとノードＮＢとを新たな通信経路によって接続すれば、図１に示した通信経路が形成される。
【００３６】
また、通信経路を新設する際に、あらかじめ通信経路をループ状にして図１の構成を実現することも可能である。
【００３７】
＜通信経路における信号レベル＞
一般的に、発信元から遠ざかるほど、その発信元から送信された信号のレベルは一定の比率で小さくなる。よって、発信元から最も遠い地点における信号レベルが正常値であるならば、その地点と発信元との間に存在する通信経路の状態は「正常」である。例えば、図１では、親局１０から通信信号が送信されたときにノードＮ１０４Ｓ，Ｎ１０４Ｌにおける信号レベルが正常値であるならば、通信経路Ａ，Ｂともに正常である。
【００３８】
また、通信経路の一部に地絡が生じていると、地絡が生じた部分（事故点）の近辺では、信号レベルは事故点に近いほど「０」に近づく。また、通信経路の一部が切断している場合も同様の現象が起こる。さらに、通信経路の一部が切断しそうな部分（不具合点）の近辺では、信号レベルは大きく減衰する。このように、通信経路に事故が生じている地点や不具合が生じている地点があると、通信信号のやりとりを正常に行うことが困難になる。
【００３９】
＜通信信号の構成＞
次に、図１に示した親局１０と切替部１０１〜１０４および子局１，２の各々との間でやりとりされる通信信号について説明する。通信信号には、発信元の装置に与えられた識別コードと、送信先の装置に与えられた識別コードと、電文とが含まれる。電文には、データリンク確立・解放するためのコマンドや、開閉器，切替器の開閉を制御するためのコマンド等が書き込まれる。例えば、切替器１０１Ｒを開くために親局１０から切替部１０１に対して送信される通信信号には、親局１０（発信元）の識別コード，切替部１０１（送信先）の識別コード，「切替器１０１Ｒ「開」」を指示するコマンドが書き込まれる。
【００４０】
ここで、データリンクの確立を要請するコマンドが電文に書き込まれた通信信号を「問い合わせ信号」とし、データリンクの確立を容認するコマンドが電文に書き込まれた通信信号を「問い合わせ応答信号」とする。
【００４１】
また、切替部における信号レベルの評価結果の送信を要請するコマンドが電文に書き込まれた通信信号を「評価通知要請信号」とし、切替部による信号レベルの評価結果が電文に書き込まれた通信信号を「評価通知応答信号」とする。
【００４２】
また、開閉器または切替器の開閉を指示するコマンドが電文に書き込まれた通信信号を「制御信号」とし、制御信号に応答して動作したことを伝えるコマンドが電文に書き込まれた通信信号を「制御応答信号」とする。
【００４３】
＜切替部１０１〜１０４の内部構成＞
図１に示した切替部１０１〜１０４の内部構成について説明する。切替部１０１〜１０４の各々は同様の内部構成を有しているので、代表として切替部１０１の内部構成を図２（ａ）に示す。
【００４４】
切替部１０１は、信号レベル測定部１０１Ｓ，１０１Ｌと、切替器制御部１０１Ａとを含む。信号レベル測定部１０１Ｓは、通信経路上のノードＳ１０１における信号の振幅の最大値（信号レベル）を測定する。信号レベル測定部１０１Ｌは、通信経路上のノードＬ１０１における信号レベルを測定する。
【００４５】
切替器制御部１０１Ａには、信号レベルを評価するときに参照する信号レベル評価テーブルと、この切替器制御部１０１Ａが管理すべき子局の子局コード（子局１，２の各々に与えられた識別コード）とが設定されている。信号レベル評価テーブルは、信号レベルの高さに応じて、評価（「正常」，「注意」，「異常」，「不可」）が設定されている（図２（ｂ）参照）。
【００４６】
また、切替器制御部１０１Ａは、信号レベル測定部１０１Ｓ，１０１Ｌの各々を介して、通信経路に伝送された通信信号を受信する。また、切替器制御部１０１Ａは、受信した通信信号を解析し、その通信信号にこの切替器制御部１０１Ａが記憶する子局コードが含まれていると、信号レベル測定部１０１Ｓ，１０１Ｌによって測定されたノードＮ１０１Ｓ，Ｎ１０１Ｌにおける信号レベルを取得する。さらに、切替器制御部１０１Ａは、信号レベル評価テーブルを参照して、信号レベル測定部１０１Ｓ，１０１Ｌから取得したノードＮ１０１Ｓ，Ｎ１０１Ｌの信号レベルを評価し、その評価を記憶する。
【００４７】
また、切替器制御部１０１Ａは、受信した通信信号を解析し、その通信信号が評価通知要請信号でありかつその通信信号にこの切替部１０１の識別コードが含まれていると、記憶しているノードＮ１０１Ｓ，Ｎ１０１Ｌの信号レベルに対する評価を評価通知応答信号に書き込み、その評価通知応答信号を親局１０に送信する。
【００４８】
また、切替器制御部１０１Ａは、親局１０からの制御信号に応じて、切替器１０１Ｒを開閉する。
【００４９】
なお、ここでは、切替部１０１に含まれる切替器制御部１０１Ａおよび切替器１０４に含まれる切替器制御部１０４Ａには「子局１の識別コード」が設定されており、切替部１０２に含まれる切替器制御部１０２Ａおよび切替部１０３に含まれる切替器制御部１０３Ａには「子局３の識別コード」が設定されているものとする。
【００５０】
また、親局１０は、切替部１０１〜１０４の各々に設定された子局コードを把握している。つまり、親局１０は、子局１〜３のうちどの子局から通信信号が送信されたときに切替部１０１〜１０４のうちどの切替部がノードに対する評価付けを行うのかを把握している。
【００５１】
＜信号レベル評価テーブル＞
図１に示した切替部１０１〜１０４に含まれる切替器制御部１０１Ａ〜１０４Ａに設定される信号レベル評価テーブルの一例を図２（ｂ）に示す。信号レベル評価テーブルには、信号レベルの高さに応じて、回線監視注意レベル，子局受信最低レベル，および子局受信不能レベルが設定されている。回線監視注意レベルは、通信信号が正常に伝送されていると判断される最低基準である。子局受信最低レベルは、子局１〜３および切替部１０１の各々が通信信号の受信を認識することができる最低基準を示す。子局受信不能レベルは、切替部１０１〜１０４が信号レベルを感知することができる最低基準である。
【００５２】
＜親局１０の内部構成＞
図１に示した親局１０には、制御部１１０と、表示部１２１とが設けられている。制御部１１０は、切替器１０１Ｒ〜１０４Ｒの開閉状態に基づいて現在の通信経路を認識する。例えば、図１の場合、切替器１０１Ｒ〜１０３Ｒが閉じており切替器１０４Ｒが開いているので、制御部１１０は、通信経路が「切替器１０４Ｒ−ノードＮ１０４Ｓ−子局１−ノードＮ１０１Ｌ−ノードＮ１０１Ｓ−親局１０−ノードＮ１０２Ｓ−ノードＮ１０２Ｌ−子局２−ノードＮ１０３Ｓ−ノードＮ１０３Ｌ−子局３−ノードＮ１０４Ｌ−切替器１０４Ｒ」であると認識する。また、制御部１１０は、管理者等によって入力された配電経路情報に応じて、子局１〜３の各々と種々の通信信号を送受信する。配電経路情報は、開閉器（図示せず）の開閉状態を指示する情報である。また、制御部１１０は、切替部１０１〜１０４の各々から受信した評価通知応答信号を参照して、通信経路の状態を解析し、解析の結果を示す解析結果データを作成する。また、制御部１１０は、管理者等によって入力された通信経路情報に応じて、切替部１０１〜１０４の各々と種々の通信信号を送受信する。表示部１２０は、制御部１１０によって作成された解析結果データを表示する。解析結果データは、例えば、図３のように、各ノードの評価，通信経路の状態，障害が発生した可能性が高い区間（障害発生区間），返信がない子局等が含まれる。
【００５３】
＜切替部１０１〜１０４による動作＞
次に、図１に示した切替部１０１〜１０４がノードＮ１０１Ｓ〜Ｎ１０４Ｓ，Ｎ１０１Ｌ〜Ｎ１０４Ｌの各々における信号レベルを評価する動作について説明する。
【００５４】
〔下り：親局１０→子局１〕
まず、親局１０から子局１に対して通信信号が送信された場合（下り）について説明する。
【００５５】
このとき、切替器制御部１０１Ａは、信号レベル測定部１０１Ｓまたは１０１Ｌを介して受信した通信信号を解析して、解析の結果、受信した通信信号にこの切替器制御部１０１Ａに設定された子局コード（子局１の識別コード）が含まれると判断する。よって、切替器制御部１０１Ａは、信号レベル測定部１０１Ｓ，１０１Ｌの各々から、信号レベル測定部１０１Ｓによって測定されたノードＮ１０１Ｓの信号レベルと信号レベル測定部１０１Ｌによって測定されたノードＮ１０１Ｌの信号レベルとを取得する。
【００５６】
次に、切替器制御部１０１Ａは、信号レベル評価テーブル（図２（ｂ））を参照して、信号レベル測定部１０１Ｓ，１０１Ｌから取得したノードＮ１０１の信号レベルおよびノードＮ１０１Ｌの信号レベルを評価する。次に、切替器制御部１０１Ａは、ノードＮ１０１Ｓの信号レベルに対する評価（評価Ｒａ１０１Ｓ）およびノードＮ１０１Ｌの信号レベルに対する評価（評価Ｒａ１０１Ｌ）を記憶する。
【００５７】
一方、切替部１０４に含まれる切替器制御部１０４Ａには子局１の識別コードが設定されているので、切替器制御部１０４は、切替器制御部１０１と同様の処理を行う。これにより、切替器制御部１０４Ａは、ノードＮ１０４Ｓの信号レベルに対する評価Ｒａ１０４ＳおよびノードＮ１０４Ｌの信号レベルに対する評価Ｒａ１０４Ｌを記憶する。
【００５８】
〔上り：子局１→親局１０〕
次に、子局１から親局１０に対して通信信号が送信された場合（上り）について説明する。
【００５９】
このとき、切替器制御部１０１Ａは、下りの場合と同様の処理を行い、ノードＮ１０１Ｓの信号レベルに対する評価Ｒｂ１０１ＳおよびノードＮ１０１Ｌの信号レベルに対する評価Ｒｂ１０１Ｌを記憶する。
【００６０】
一方、切替器制御部１０４Ａは、下りの場合と同様の処理を行い、ノードＮ１０４Ｓの信号レベルに対する評価Ｒｂ１０４ＳおよびノードＮ１０４Ｌの信号レベルに対する評価Ｒｂ１０４Ｌを記憶する。
【００６１】
このようにして、切替器制御部１０１ＡはノードＮ１０１Ｓに対する評価Ｒａ１０１Ｓ，Ｒｂ１０１ＳおよびノードＮ１０１Ｌに対する評価Ｒａ１０１Ｌ，Ｒｂ１０１Ｌを記憶し、切替器制御部１０４ＡはノードＮ１０４Ｓに対する評価Ｒａ１０４Ｓ，Ｒｂ１０４ＳおよびノードＮ１０４Ｌに対する評価Ｒａ１０４Ｌ，Ｒｂ１０４Ｌを記憶する。
【００６２】
〔下り：親局１０→子局３〕
次に、親局１０から子局３に対して通信信号が送信された場合（下り）について説明する。
【００６３】
このとき、切替部１０２に含まれる切替器制御部１０２Ａには子局３の識別コードが設定されているので、切替器制御部１０２Ａは、切替器制御部１０１Ａと同様の処理を行い、ノードＮ１０２Ｓの信号レベルに対する評価Ｒａ１０２ＳおよびノードＮ１０２Ｌの信号レベルに対する評価Ｒａ１０２Ｌを記憶する。
【００６４】
一方、切替部１０３に含まれる切替器制御部１０３Ａには子局３の識別コードが設定されているので、切替器制御部１０３Ａは、切替器制御部１０２Ａと同様の処理を行い、ノードＮ１０３Ｓの信号レベルに対する評価Ｒａ１０３ＳおよびノードＮ１０３Ｌの信号レベルに対する評価Ｒａ１０３Ｌを記憶する。
【００６５】
〔上り：子局３→親局１０〕
次に、子局３から親局１０に対して通信信号が送信された場合（上り）について説明する。
【００６６】
このとき、切替器制御部１０２Ａは、下りの場合と同様の処理を行い、ノードＮ１０２Ｓの信号レベルに対する評価Ｒｂ１０２ＳおよびノードＮ１０２Ｌの信号レベルに対する評価Ｒｂ１０２Ｌを記憶する。
【００６７】
一方、切替器制御部１０３Ａは、下りの場合と同様の処理を行い、ノードＮ１０３Ｓの信号レベルに対する評価Ｒｂ１０３ＳおよびノードＮ１０３Ｌの信号レベルに対する評価Ｒｂ１０３Ｌを記憶する。
【００６８】
このようにして、切替器制御部１０２ＡはノードＮ１０２Ｓに対する評価Ｒａ１０２Ｓ，Ｒｂ１０２ＳおよびノードＮ１０２Ｌに対する評価Ｒａ１０２Ｌ，Ｒｂ１０２Ｌを記憶し、切替器制御部１０３ＡはノードＮ１０３Ｓに対する評価Ｒａ１０３Ｓ，Ｒｂ１０３ＳおよびノードＮ１０３Ｌに対する評価Ｒａ１０３Ｌ，Ｒｂ１０３Ｌを記憶する。
【００６９】
＜通信経路制御システムによる動作＞
図１に示した通信経路制御システムによる動作には、日常的に通信経路の状態を監視するために行う通常モードと、通信経路に通信障害が発生したときに行う緊急モードとがある。
【００７０】
〔通常モード〕
まず、通常モードにおける通信経路制御システムの動作について説明する。
【００７１】
親局１０に含まれる制御部１１０は、切替部１０１に対して問い合わせ信号を送信する。切替部１０１は、親局１０からの問い合わせ信号を受信すると、問い合わせ応答信号を親局１０に送信する。これにより、親局１０と切替部１０１とのデータリンクが確立される。
【００７２】
次に、制御部１１０は、切替部１０１に対して評価通知要請信号を送信する。切替部１０１は、親局１０からの評価通知要請信号を受信すると、記憶していた評価Ｒａ１０１Ｓ，Ｒｂ１０１Ｓ，Ｒａ１０１Ｌ，Ｒｂ１０１Ｌを評価通知応答信号の電文の所定の位置に書き込む。例えば、切替部１０１は、評価Ｒａ１０１Ｓ，Ｒａ１０１Ｌ，Ｒｂ１０１Ｓ，Ｒｂ１０１Ｌの順番で電文に書き込む。
【００７３】
次に、切替部１０１は、その評価通知応答信号を親局１０に送信する。
【００７４】
次に、親局１０に含まれる制御部１１０は、切替部１０１からの評価通知応答信号を受信すると、切替部１０１とのデータリンクを解放する。また、制御部１１０は、切替部１０１に対して評価通知要請信号を送信した後所定の時間を経過しても切替部１０１からの評価通知応答信号を受信しないと、切替部１０１に対応するノードＮ１０１Ｓの評価Ｒａ１０１Ｓ，Ｒｂ１０１ＳおよびノードＮ１０１Ｌの評価Ｒａ１０１Ｌ，Ｒｂ１０１Ｌが「−」（不定）であると判断し、処理対象から削除する。
【００７５】
次に、親局１０と切替部１０２〜１０４の各々との間で同様の処理が行われ、親局１０に含まれる制御部１１０は、切替部１０２〜１０４の各々から評価通知応答信号を受信する。
【００７６】
次に、制御部１１０は、切替部１０１〜１０４の各々から受信した評価通知応答信号の電文に書き込まれた評価（評価Ｒａ１０１Ｓ〜Ｒａ１０４Ｓ，Ｒａ１０１Ｌ〜Ｒａ１０４Ｌ，Ｒｂ１０１Ｓ〜Ｒｂ１０４Ｓ，Ｒｂ１０１Ｌ〜Ｒｂ１０４Ｌ）を参照して、通信経路の状態を解析して解析結果データを作成する。
【００７７】
次に、表示部１２０は、制御部１１０によって作成された解析結果データを表示する。
【００７８】
次に、管理者は、解析結果データを参照して、通信経路情報を制御部１１０に入力する。
【００７９】
ここで、管理者等によって制御部１１０に通信経路情報が入力されると、制御部１１０は、入力された通信経路情報に応じて、切替部１０１〜１０４の各々とのデータリンクを確立し、制御信号を送信する。
【００８０】
次に、切替部１０１〜１０４は、親局１０からの制御信号に応じて、切替器１０１Ｒ〜１０４Ｒを開閉する。
【００８１】
〔緊急モード〕
次に、緊急モードにおける通信経路制御システムの動作について説明する。ここで、親局１０と子局１との間に事故が生じているものとする。
【００８２】
親局１０に含まれる制御部は、管理者等によって配電経路情報を入力すると、子局１に対して問い合わせ信号を送信する。このとき、子局１は、親局１０からの問い合わせ信号を受信することができないので、親局１０に対して問い合わせ応答信号を返信しない。
【００８３】
親局１０に含まれる制御部１１０は、子局１からの応答信号を所定の時間内に受信しないと、異常状態であると認識する。
【００８４】
次に、制御部１１０は、通常モードと同様の処理を行い、切替部１０１〜１０４の各々から評価通知応答信号を受信し、解析結果データを作成する。また、表示部１２０は、通常モードと同様に、解析結果データを表示する。
【００８５】
次に、切替部１０１〜１０４は、通常モードと同様に、親局１０からの制御信号に応じて、切替器１０１Ｒ〜１０４Ｒを開閉する。
【００８６】
＜制御部１１０における通信経路の解析手順＞
次に、親局１０に含まれる制御部１１０における通信経路の状態を解析する手順について図４を参照しつつ説明する。なお、説明を容易に行うために、評価Ｒａ１０１Ｓ〜Ｒａ１０４Ｓ，Ｒａ１０１Ｌ〜Ｒａ１０４Ｌ，Ｒｂ１０１Ｓ〜Ｒｂ１０４Ｓ，Ｒｂ１０１Ｌ〜Ｒｂ１０４Ｌを簡単に「評価ＲＲ」と示す。
【００８７】
〔ステップＳＴ１０１〕
まず、制御部１１０は、切替部１０１〜１０４の各々から取得した評価通知応答信号に書き込まれた評価ＲＲを取得する。また、制御部１１０は、取得した評価ＲＲの各々を解析結果データの項目Ｄ１０１（図３）のうち対応する箇所に書き込む。
【００８８】
〔ステップＳＴ１０２〕
次に、制御部１１０は、取得した評価ＲＲの中に「×」を示すものがあるか否かを判断する。取得した評価ＲＲの中に「×」を示すものがある場合にはステップＳＴ１０３へ進み、そうでない場合にはステップＳＴ１０７へ進む。
【００８９】
〔ステップＳＴ１０３〕
次に、制御部１１０は、評価ＲＲのうち「×」を示す評価に対応するノードと発信元と間に事故が生じていると判断する。例えば、評価Ｒａ１０１Ｓが「×」を示す場合、ノードＮ１０１Ｓと親局１０（発信元）との間に事故が生じていると判断する。
【００９０】
〔ステップＳＴ１０４〕
次に、制御部１１０は、事故が生じていると判断された区間がすべて重複する区間を事故発生区間として解析結果データの項目Ｄ１０２（図３）に書き込む。例えば、親局１０−ノードＮ１０４Ｓ間と子局１−ノードＮ１０４Ｌ間とに事故が生じていると判断された場合、制御部１１０は、親局１０−子局１間を事故発生区間として解析結果データに書き込む。
【００９１】
〔ステップＳＴ１０５〕
次に、制御部１１０は、子局１〜３の各々からの返信状況を参照して、すべての子局からの返信を受け取ったか否かを判断する。すべての子局からの返信を受け取ったと判断するとステップＳＴ１１０へ進む。そうでない場合にはステップＳＴ１０６へ進む。
【００９２】
〔ステップで１０６〕
次に、返信を受け取っていない子局を解析結果データの項目Ｄ１０３（図３）に書き込む。また、制御部１１０は、制御部１１０は、解析結果データの項目Ｄ１０４に「異常発生」の文字を書き込む。
【００９３】
〔ステップＳＴ１０７〕
一方、ステップＳＴ１０２において取得した評価ＲＲの中に「×」を示すものがないと判断すると、制御部１１０は、取得した評価ＲＲの中に「○」または「△」を示すものがあるか否かを判断する。取得した評価ＲＲの中に「○」または「△」を示すものがある場合にはステップＳＴ１０８へ進み、そうでない場合にはステップＳＴ１１１へ進む
〔ステップＳＴ１０８〕
次に、制御部１１０は、評価ＲＲのうち「○」または「△」を示す評価を選択し、選択した評価の各々に対応するノードと発信元との間に不具合が生じていると判断する。例えば、評価Ｒａ１０１Ｌが「△」を示していると、親局１０は、ノードＮ１０１Ｌと親局１０（発信元）との間に不具合が生じていると判断する。
【００９４】
〔ステップＳＴ１０９〕
次に、制御部１１０は、不具合が生じていると判断された区間がすべて重複する区間を不具合発生区間として解析結果データの項目Ｄ１０２に書き込む。次に、ステップＳＴ１０５へ進む。
【００９５】
〔ステップＳＴ１１０〕
一方、ステップＳＴ１０５において子局１〜３のうちすべての子局からの返信があったと判断すると、制御部１１０は、解析結果データの項目Ｄ１０４に「異常推移」の文字を書き込む。
【００９６】
〔ステップＳＴ１１１〕
一方、ステップＳＴ１０７において取得した評価Ｒａ，Ｒｂの中に「○」または「△」を示すものがないと判断すると、制御部１１０は、解析結果データの項目Ｄ１０４に「正常」の文字を書き込む。
【００９７】
このようにして、制御部１１０は、通信経路の状態を解析し、その解析の結果を示す解析結果データを作成する。
【００９８】
＜具体例＞
次に、図１に示した通信経路制御システムによる動作について通信経路の状態に応じて詳しく説明する。
【００９９】
〔正常時〕
まず、通信経路上に通信障害が発生していない場合（正常時）について図５，６，７を参照しつつ説明する。
【０１００】
《発信元：親局１０》
ここで、親局１０から子局１に対して通信信号が送信された場合、通信経路全体における信号レベルは、図５（ｂ）のようになる。よって、図５（ｃ）のように、ノードＮ１０１Ｓの評価Ｒａ１０１Ｓ，ノードＮ１０１Ｌの評価Ｒａ１０１Ｌ，ノードＮ１０４Ｓの評価Ｒａ１０４Ｓ，およびノードＮ１０４Ｌの評価Ｒａ１０４Ｌは、すべて「◎」になる。
【０１０１】
一方，親局１０から子局２に対して通信信号が送信された場合も、通信経路全体における信号レベルは、図５（ｂ）のようになる。よって、図５（ｄ）のように、ノードＮ１０２Ｓの評価Ｒａ１０２Ｓ，ノードＮ１０２Ｌの評価Ｒａ１０２Ｌ，ノードＮ１０３Ｓの評価Ｒａ１０３Ｓ，およびノードＮ１０３Ｌの評価Ｒａ１０３Ｌは、すべて「◎」になる。
【０１０２】
《発信元：子局１》
また、子局１から通信信号が送信された場合、通信経路全体における信号レベルは、図６（ｂ）のようになる。よって、図６（ｃ）のように、ノードＮ１０１Ｓの評価Ｒｂ１０１Ｓ，ノードＮ１０１Ｌの評価Ｒｂ１０１Ｌ，ノードＮ１０４Ｓの評価Ｒｂ１０４Ｓ，およびノードＮ１０４Ｌの評価Ｒｂ１０４Ｌは、すべて「◎」になる。
【０１０３】
《発信元：子局３》
また、子局３から通信信号が送信された場合、通信経路全体における信号レベルは、図７（ｂ）のようになる。よって、図７（ｃ）のように、ノードＮ１０２Ｓの評価Ｒｂ１０２Ｓ，ノードＮ１０２Ｌの評価Ｒｂ１０２Ｌ，ノードＮ１０３Ｓの評価Ｒｂ１０３Ｓ，およびノードＮ１０３Ｌの評価Ｒｂ１０３Ｌは、すべて「◎」になる。
【０１０４】
《通信経路の解析》
次に、親局１０に含まれる制御部１１０は、評価Ｒａ１０１Ｓ〜Ｒａ１０４Ｓ，Ｒａ１０１Ｌ〜Ｒａ１０４Ｌ，Ｒｂ１０１Ｓ〜Ｒｂ１０４Ｓ，Ｒｂ１０１Ｌ〜Ｒｂ１０４Ｌがすべて「◎」を示すので、通信経路上に通信障害が生じていないと判断する。よって、制御部１１０は、「通信経路は正常である」旨を示す解析結果データを作成する。
【０１０５】
〔異常推移時〕
次に、子局１と切替部１０１との間のある地点Ｐ１に不具合が生じている場合（異常推移時）について図８〜１１を参照しつつ説明する。この場合、不具合点Ｐ１において信号レベルが大きく減衰する。
【０１０６】
《発信元：親局１０》
ここで、親局１０から通信信号が送信された場合、通信経路全体における信号レベルは、図８（ｂ）のようになる。よって、図８（ｃ）のように、ノードＮ１０１Ｓの評価Ｒａ１０１Ｓ，ノードＮ１０１Ｌの評価Ｒａ１０１Ｌ，およびノードＮ１０４Ｌの評価Ｒａ１０４Ｌは「◎」になり、ノードＮ１０４Ｓの評価Ｒａ１０４Ｓは「△」になる。
【０１０７】
一方，親局１０から子局２に対して通信信号が送信された場合も、通信経路全体における信号レベルは、図８（ｂ）のようになる。よって、図８（ｃ）のように、ノードＮ１０２Ｓの評価Ｒａ１０２Ｓ，ノードＮ１０２Ｌの評価Ｒａ１０２Ｌ，ノードＮ１０３Ｓの評価Ｒａ１０３Ｓ，およびノードＮ１０３Ｌの評価Ｒａ１０３Ｌは、すべて「◎」になる。
【０１０８】
《発信元：子局１》
また、子局１から通信信号が送信された場合、通信経路全体における信号レベルは、図９（ｂ）のようになる。よって、図９（ｃ）のように、ノードＮ１０１Ｓの評価Ｒｂ１０１ＳおよびノードＮ１０１Ｌの評価Ｒｂ１０１Ｌは「◎」になり，ノードＮ１０４Ｓの評価Ｒｂ１０４Ｓは「○」になり、ノードＮ１０４Ｌの評価Ｒｂ１０４Ｌは「△」になる。
【０１０９】
《発信元：子局３》
また、子局３から通信信号が送信された場合、通信経路全体における信号レベルは、図１０（ｂ）のようになる。よって、図１０（ｃ）のように、ノードＮ１０２Ｓの評価Ｒｂ１０２Ｓ，ノードＮ１０２Ｌの評価Ｒｂ１０２Ｌ，ノードＮ１０３Ｓの評価Ｒｂ１０３Ｓ，およびノードＮ１０３Ｌの評価Ｒｂ１０３Ｌは、すべて「◎」になる。
【０１１０】
《通信経路の解析》
まず、親局１０に含まれる制御部１１０は、下り時（発信元：親局１０，送信先：子局１）におけるノードＮ１０４Ｓの評価Ｒａ１０４Ｓが「△」であるので、親局１０−ノードＮ１０４Ｓ間において不具合が生じていると判断する。
【０１１１】
次に、制御部１１０は、上り時（発信元：子局１，送信先：親局１０）におけるノードＮ１０４Ｌの評価Ｒａ１０４Ｌが「△」であるので、子局１−ノードＮ１０４Ｌ間において不具合が生じていると判断する。
【０１１２】
次に、制御部１１０は、上り時におけるノードＮ１０１Ｓの評価Ｒａ１０１Ｓが「○」であるので、子局１−ノードＮ１０１Ｓ間において不具合が生じていると判断する。
【０１１３】
よって、制御部１１０は、不具合が生じていると判断された区間がすべて重複する区間（この場合、「子局１−ノードＮ１０１Ｓ間」）を不具合発生区間として解析結果データの項目Ｄ１０２に書き込む。
【０１１４】
次に、制御部１１０は、子局１〜３のうちすべての子局からの返信を受け取ったので、「異常推移」の文字を解析結果データの項目Ｄ１０３に書き込む。このようにして、図１１のような解析結果データが作成される。
【０１１５】
次に、表示部１２０は、制御部１１０によって作成された解析結果データを表示する。
【０１１６】
これにより、管理者は、表示部１２０に表示された解析結果データを参照すれば、通信障害が発生しそうな区間（不具合点）を把握することができる。
【０１１７】
〔異常状態時〕
次に、切替部１０１と子局１との間に通信障害が生じている場合（異常状態）について図１２〜１８を参照しつつ説明する。この場合、障害発生点Ｐ２において信号レベルが０に近づく。
【０１１８】
《発信元：親局１０》
ここで、親局１０から通信信号が送信された場合、通信経路全体における信号レベルは、図１２（ｂ）のようになる。よって、図１２（ｃ）のように、ノードＮ１０１Ｓの評価Ｒａ１０１Ｓは「◎」になり、ノードＮ１０１Ｌの評価Ｒａ１０１Ｌは「△」になり、ノードＮ１０４Ｓの評価Ｒａ１０４Ｓは「×」になり、ノードＮ１０４Ｌの評価Ｒａ１０４Ｌは「◎」になる。
【０１１９】
一方，親局１０から子局２に対して通信信号が送信された場合も、通信経路全体における信号レベルは、図１２（ｂ）のようになる。よって、図１２（ｃ）のように、ノードＮ１０２Ｓの評価Ｒａ１０２Ｓ，ノードＮ１０２Ｌの評価Ｒａ１０２Ｌ，ノードＮ１０３Ｓの評価Ｒａ１０３Ｓ，およびノードＮ１０３Ｌの評価Ｒａ１０３Ｌは、すべて「◎」になる。
【０１２０】
《発信元：子局１》
また、子局１は、通信信号を送信しない。
【０１２１】
《発信元：子局３》
また、子局３から通信信号が送信された場合、通信経路全体における信号レベルは、図１３（ｂ）のようになる。よって、図１３（ｃ）のように、ノードＮ１０２Ｓの評価Ｒｂ１０２Ｓ，ノードＮ１０２Ｌの評価Ｒｂ１０２Ｌ，ノードＮ１０３Ｓの評価Ｒｂ１０３Ｓ，およびノードＮ１０３Ｌの評価Ｒｂ１０３Ｌは、すべて「◎」になる。
【０１２２】
《通信経路の解析》
まず、親局１０に含まれる制御部１１０は、下り時（発信元：親局１０，送信先：子局１）におけるノードＮ１０４Ｓの評価Ｒａ１０４Ｓが「×」であるので、親局１０−ノードＮ１０４Ｓ間において事故が発生していると判断する。また、制御部１１０は、事故発生区間として「親局１０−ノードＮ１０４Ｓ」を解析結果データの項目Ｄ１０２に書き込む。
【０１２３】
次に、制御部１１０は、子局１からの返信がないので、「子局１」を解析結果データの項目Ｄ１０４に書き込む。また、制御部１１０は、「異常発生」の文字を解析結果データに書き込む。このようにして、図１４のような解析結果データが作成される。
【０１２４】
次に、表示部１２０は、制御部１１０によって作成された解析結果データを表示する。
【０１２５】
《通信経路の切替》
ここで、表示部１２０に表示された解析結果データを参照して、管理者が「切替器１０４Ｒ「閉」」を示す通信経路情報を制御部１１０に入力したとする。
【０１２６】
このとき、制御部１１０は、切替部１０４に対して「切替器１０４Ｒ「閉」」を指示する制御信号を送信する。切替部１０４は、親局１０からの制御信号に応じて、切替器１０４Ｒを閉じる。よって、図１に示した通信経路は、図１５のようになる。
【０１２７】
したがって、通信経路Ａは「親局１０−ノードＮ１０１Ｓ，Ｎ１０１Ｌ−事故点Ｐ２」となり、通信経路Ｂは「親局１０−ノードＮ１０２Ｓ，Ｎ１０２Ｌ−子局２−ノードＮ１０３Ｓ，Ｎ１０３Ｌ−子局３−ノードＮ１０４Ｌ，Ｎ１０４Ｓ−子局１−事故点Ｐ２」となる。
【０１２８】
また、通信経路全体における信号レベルは、親局１０から通信信号が送信された場合には図１６（ｂ）のようになり、子局１から通信信号が送信された場合には図１７（ｂ）のようになり、子局３から通信信号が送信された場合には図１８（ｂ）のようになる。よって、図１６（ｃ），図１７（ｃ），図１７（ｄ），図１８（ｃ）のように、評価Ｒａ１０１Ｓ〜Ｒａ１０４Ｓ，Ｒａ１０１Ｌ〜Ｒａ１０４Ｌ，Ｒｂ１０１Ｓ〜Ｒｂ１０４Ｓ，Ｒｂ１０１Ｌ〜Ｒｂ１０４Ｌはすべて「◎」になる。
【０１２９】
〔異常推移状態〕
次に、子局２と切替部１０３との間に不具合が生じている場合（異常推移状態）について図１９〜２６を参照しつつ説明する。この場合、不具合点Ｐ３において信号レベルが大きく減衰する。
【０１３０】
《発信元：親局１０》
ここで、親局１０から子局１に対して通信信号が送信された場合、通信経路全体における信号レベルは、図１９（ｂ）のようになる。よって、図１９（ｃ）のように、ノードＮ１０１Ｓの評価Ｒａ１０１Ｓ，ノードＮ１０１Ｌの評価Ｒａ１０１Ｌ，およびノードＮ１０４Ｓの評価Ｒａ１０４Ｓは「◎」になり、ノードＮ１０４Ｌの評価Ｒａ１０４Ｓは「△」になる。
【０１３１】
一方，親局１０から子局２に対して通信信号が送信された場合も、通信経路全体における信号レベルは、図１９（ｂ）のようになる。よって、図１９（ｄ）のように、ノードＮ１０２Ｓの評価Ｒａ１０２ＳおよびノードＮ１０２Ｌの評価Ｒａ１０２Ｌは「◎」になり、ノードＮ１０３Ｓの評価Ｒａ１０３Ｓは「○」になり、ノードＮ１０３Ｌの評価Ｒａ１０３Ｌは「△」になる。
【０１３２】
《発信元：子局１》
また、子局１から通信信号が送信された場合、通信経路全体における信号レベルは、図２０（ｂ）のようになる。よって、図２０（ｃ）のように、ノードＮ１０１Ｓの評価Ｒａ１０１Ｓ，ノードＮ１０１Ｌの評価Ｒａ１０１Ｌ，およびノードＮ１０４Ｓの評価Ｒａ１０４Ｓは「◎」になり、ノードＮ１０４Ｌの評価Ｒａ１０４Ｌは「△」になる。
【０１３３】
《発信元：子局３》
また、子局３は、通信信号を送信しない。
【０１３４】
《発信元：子局２》
また、子局２は、親局１０からの通信信号を受信し、通信信号を送信する。この場合、通信経路全体における信号レベルは、図２１（ｂ）のようになる。しかし、切替部１０１〜１０４の各々は、各々が対応するノードの信号レベルに対して評価を行わない。
【０１３５】
《通信経路の解析》
まず、制御部１１０は、下り時（発信元：親局，送信先：子局１）におけるノードＮ１０４Ｌの評価Ｒａ１０４Ｌが「△」であるので、親局１０−ノードＮ１０４Ｌ間において不具合が生じていると判断する。
【０１３６】
次に、制御部１１０は、下り時（発信元：親局，送信先：子局３）におけるノードＮ１０３Ｌの評価Ｒａ１０３Ｌが「△」でありノードＮ１０３Ｓの評価Ｒａ１０３Ｓが「○」であるので、親局１０−ノードＮ１０３Ｓ間において不具合が生じていると判断する。
【０１３７】
よって、親局１０は、不具合が生じていると判断された区間が重複する区間（この場合、「親局１０−ノードＮ１０３Ｓ間」）を不具合発生区間として解析結果データの項目Ｄ１０２に書き込む。
【０１３８】
次に、制御部１１０は、子局３からの返信がないので、「子局３」を解析結果データの項目Ｄ１０３に書き込む。また、制御部１１０は、「異常発生」の文字を解析結果データの項目Ｄ１０４に書き込む。このようにして、図２２のような解析結果データが作成される。
【０１３９】
次に、表示部１２０は、制御部１１０によって作成された解析結果データを表示する。
【０１４０】
《通信経路の切替》
ここで、表示部１２０に表示された解析結果データを参照して、管理者が「切替器１０３Ｒ「開」＆切替器１０４Ｒ「閉」」を示す通信経路情報を制御部１１０に入力したとする。
【０１４１】
このとき、制御部１１０は、切替部１０３に対して「切替器１０３Ｒ「開」」を指示する制御信号を送信する。切替部１０３は、親局１０からの制御信号に応じて、切替器１０３Ｒを開く。次に、親局１０は、切替部１０４に対して「切替部１０４Ｒ「閉」」を指示する制御信号を送信する。切替部１０４は、親局１０からの制御信号に応じて、切替器１０４Ｒを閉じる。よって、図１に示した通信経路は、図２３のようになる。
【０１４２】
したがって、通信経路Ａは「親局１０−ノードＮ１０１Ｓ，Ｎ１０１Ｌ−子局１−ノードＮ１０４Ｓ，ノードＮ１０４Ｌ−子局３−ノードＮ１０３Ｌ−切替器１０３Ｒ」となり、通信経路Ｂは「親局１０−ノードＮ１０２Ｓ，Ｎ１０２Ｌ−子局２−ノードＮ１０３Ｓ−切替器１０３Ｒ」となる。
【０１４３】
また、通信経路全体における信号レベルは、親局１０から通信信号が送信された場合には図２４（ｂ）のようになり、子局１から通信信号が送信された場合には図２５（ｂ）のようになり、子局３から通信信号が送信された場合には図２６（ｂ）のようになる。よって、図２４（ｃ），（ｄ），図２５（ｃ），図２６（ｃ）のように、評価Ｒａ１０３Ｓは「○」になり、評価Ｒｂ１０３Ｓは「△」になり、その他の評価Ｒａ１０１Ｓ，Ｒａ１０２Ｓ，Ｒａ１０４Ｓ，Ｒａ１０１Ｌ〜Ｒａ１０４Ｌ，Ｒｂ１０１Ｓ，Ｒｂ１０２Ｓ，Ｒｂ１０４Ｓ，Ｒｂ１０１Ｌ〜Ｒｂ１０４Ｌはすべて「◎」になる。
【０１４４】
＜効果＞
以上のように、本実施形態による通信経路制御システムでは、切替器１０１Ｒ〜１０４Ｒを適宜切り替えることによって、親局１０と子局１〜３との通信経路を変更することができる。これにより、通信経路上に通信障害が生じても、適切な通信経路に変更することによって、親局１０と子局１〜３との間で通信信号のやりとりを行うことができる。
【０１４５】
また、切替部１０１〜１０４によって通信経路の各ノードにおける信号レベルを測定・評価することによって、通信経路の状態を把握することができる。
【０１４６】
なお、図１において、親局１０と子局１および子局２の各々との間で通信信号のやりとりが正常に行われているか否かを判断するためには、ノードＮ１０４Ｓにおける信号レベルの状態とノードＮ１０４Ｌ（またはノードＮ１０３Ｌ）における信号レベルの状態とを把握することができれば十分である。
【０１４７】
また、図１において、親局１０と子局３とが信号のやりとりを行うのに最適な通信経路を選択するためには、ノードＮ１０４Ｓにおける信号レベルの状態とノードＮ１０４Ｌ（またはノードＮ１０３Ｌ）における信号レベルの状態とを把握することができれば十分である。
【０１４８】
また、子局１〜３と切替部１０１〜１０４とを比較すると、どちらも親局１０からの通信信号に応じて開閉器（切替器）を開閉する。よって、切替部１０１〜１０４は、子局１〜３と同様の構成にすることができるので、設計が容易に行え、親局から送信するパケットも従来のものを使用することができる。
【０１４９】
また、子局１〜３の各々が切替部１０１〜１０４と同様に信号レベルの測定・評価を行い、親局１０からの評価通知応答信号に応じて評価の結果を書き込んだ評価通知応答信号を送信する構成も可能である。
【０１５０】
なお、切替器１０３Ｒ，１０４Ｒ間の通信経路上に中継器を設けることも可能である。このようにすれば、親局１０からの信号のレベルを中継器によって回復することができる。
【産業上の利用可能性】
【０１５１】
以上説明したように、本発明は、配電線遠方監視制御システムの通信経路を制御するシステム等として有用である。
【図面の簡単な説明】
【０１５２】
【図１】この発明の実施形態による通信経路制御システムの全体構成を示す図である。
【図２】図１に示した切替部の内部構成と信号レベル評価テーブルの一例とを示す図である。
【図３】解析結果データを示す図である。
【図４】図１に示した制御部１１０における通信経路の解析手順を示すフローチャートである。
【図５】図１に示した親局１０から送信された通信信号の信号レベルの変化の一例（正常時）を示す図である。
【図６】図１に示した子局１から送信された通信信号の信号レベルの変化の一例（正常時）を示す図である。
【図７】図１に示した子局３から送信された通信信号の信号レベルの変化の一例（正常時）を示す図である。
【図８】図１に示した親局１０から送信された通信信号の信号レベルの変化の一例（異常推移時）を示す図である。
【図９】図１に示した子局１から送信された通信信号の信号レベルの変化の一例（異常推移時）を示す図である。
【図１０】図１に示した子局３から送信された通信信号の信号レベルの変化の一例（異常推移時）を示す図である。
【図１１】解析結果データの一例（異常推移時）を示す図である。
【図１２】図１に示した親局１０から送信された通信信号の信号レベルの変化の一例（異常状態時）を示す図である。
【図１３】図１に示した子局３から送信された通信信号の信号レベルの変化の一例（異常推移時）を示す図である。
【図１４】解析結果データの一例（異常状態時）を示す図である。
【図１５】図１に示した切替器１０１Ｒ〜１０４Ｒの開閉状態を切り替えた後の通信経路制御システムの全体構成を示す図である。
【図１６】図１５に示した親局１０から送信された通信信号の信号レベルの変化の一例（切替後）を示す図である。
【図１７】図１５に示した子局１から送信された通信信号の信号レベルの変化の一例（切替後）を示す図である。
【図１８】図１５に示した子局３から送信された通信信号の信号レベルの変化の一例（切替後）を示す図である。
【図１９】図１に示した親局１０から送信された通信信号の信号レベルの変化の一例（異常状態時）を示す図である。
【図２０】図１に示した子局１から送信された通信信号の信号レベルの変化の一例（異常状態時）を示す図である。
【図２１】図１に示した子局３から送信された通信信号の信号レベルの変化の一例（異常状態時）を示す図である。
【図２２】解析結果データの一例を示す図（異常状態時）である。
【図２３】図１に示した切替器１０１Ｒ〜１０４Ｒの開閉状態を切り替えた後の通信経路制御システムの全体構成を示す図である。
【図２４】図２３に示した親局１０から送信された通信信号の信号レベルの変化の一例（切替後）を示す図である。
【図２５】図２３に示した子局１から送信された通信信号の信号レベルの変化の一例（切替後）を示す図である。
【図２６】図２３に示した子局３から送信された通信信号の信号レベルの変化の一例（切替後）を示す図である。
【図２７】従来の配電線遠方監視制御システムにおける通信経路を示す図である。
【符号の説明】
【０１５３】
１，２，３    子局
１０    親局
１０１，１０２，１０３，１０４    切替部
１０１Ｒ，１０２Ｒ，１０３Ｒ，１０４Ｒ    切替器
１０１Ａ，１０２Ａ，１０３Ａ，１０４Ａ    切替器制御部
１０１Ｓ〜１０４Ｓ，１０１Ｌ〜１０４Ｌ    信号レベル測定部
【図１】
2006135731.tif 000003
【図２】
2006135731.tif 000004
【図３】
2006135731.tif 000005
【図４】
2006135731.tif 000006
【図５】
2006135731.tif 000007
【図６】
2006135731.tif 000008
【図７】
2006135731.tif 000009
【図８】
2006135731.tif 000010
【図９】
2006135731.tif 000011
【図１０】
2006135731.tif 000012
【図１１】
2006135731.tif 000013
【図１２】
2006135731.tif 000014
【図１３】
2006135731.tif 000015
【図１４】
2006135731.tif 000016
【図１５】
2006135731.tif 000017
【図１６】
2006135731.tif 000018
【図１７】
2006135731.tif 000019
【図１８】
2006135731.tif 000020
【図１９】
2006135731.tif 000021
【図２０】
2006135731.tif 000022
【図２１】
2006135731.tif 000023
【図２２】
2006135731.tif 000024
【図２３】
2006135731.tif 000025
【図２４】
2006135731.tif 000026
【図２５】
2006135731.tif 000027
【図２６】
2006135731.tif 000028
【図２７】
2006135731.tif 000029